(57)【特許請求の範囲】
【請求項１】
原稿台に載置される原稿の画像を読み取る画像読取装置において、
自装置の状態に応じて発光する発光手段と、
前記発光手段から発光される光を画像読み取り領域の外側で通過させる穴部を有する第１のフレームと、
前記第１のフレームの穴部を通過した光を装置外部に通過させる通光部を有する第２のフレームと、
前記第２のフレームの通光部を塞ぐことにより、前記第１のフレームの穴部を通過した光を遮光する取り外し可能な遮光部材と
を備えることを特徴とする画像読取装置。
【請求項２】
前記第２のフレームは、前記原稿台を支持する支持フレームである
ことを特徴とする請求項１記載の画像読取装置。
【請求項３】
前記遮光部材は、前記原稿台に載置される原稿を位置決めするガイドプレートである
ことを特徴とする請求項１又は２記載の画像読取装置。
【請求項４】
前記第２のフレームの通光部を通過した光を反射させる反射体を具備する
ことを特徴とする請求項１、２又は３記載の画像読取装置。
【請求項５】
前記第２のフレームの通光部に、前記第１のフレームの穴部を通過した光を乱反射させる乱反射体を設けてなる
ことを特徴とする請求項１、２又は３記載の画像読取装置。
【請求項６】
原稿台に載置される原稿の画像を読み取る画像読取装置において、
自装置の状態に応じて発光する発光手段と、
前記原稿の画像を読み取り走査する移動走査体と、
前記発光手段から発光される光を前記移動走査体の退避位置のほぼ真下で通過させる穴部を有するフレームと、
前記移動走査体の退避位置の上方を覆うことにより、前記フレームの穴部を通過した光を遮光する取り外し可能な遮光部材と
を備えることを特徴とする画像読取装置。
【請求項７】
原稿台に載置される原稿の画像を読み取る画像読取装置において、
自装置の状態に応じて発光する発光手段と、
前記原稿の画像を読み取り走査する移動走査体と、
前記発光手段から発光される光を前記移動走査体の退避位置のほぼ真下で通過させる穴部を有する第１のフレームと、
前記移動走査体の退避位置の上方を覆うことにより、前記第１のフレームの穴部を通過した光を遮光する遮光部材と、
前記移動走査体に設けられ、前記第１のフレームの穴部を通過した光を所定の方向に反射させる反射手段と、
前記反射手段により反射された光を装置外部に通過させる通光部を有する第２のフレームと
を備えることを特徴とする画像読取装置。
【発明の詳細な説明】
【０００１】
【発明の属する技術分野】
本発明は、原稿台に載置される原稿の画像を読み取る画像読取装置に関する。
【０００２】
【従来の技術】
一般に、複写機等に用いられる画像読取装置には、光学系による原稿画像の読み取り動作やこれに付随する他の動作を制御する制御基板が組み込まれている。この制御基板には、各種の処理機能を実現する様々な機能部品が実装されているが、そうした機能部品の他にも、例えば他のモジュールとの通信機能あるいはＣＰＵ（中央演算処理装置）機能の確認用として、ＬＥＤ（発光ダイオード）等を備えたものがある。
【０００３】
このような制御基板を有する画像読取装置では、市場あるいは開発段階で何らかのトラブルが発生した場合、作業者がＬＥＤの発光状態を目視で確認しながらトラブルの切り分けや原因の究明（状況確認）を行っている。また、装置の保守，点検に際しても、ＬＥＤの発光状態を目視で確認することにより、異常の有無を判断している。
【０００４】
【発明が解決しようとする課題】
しかしながら従来の画像読取装置では、ＬＥＤを実装している制御基板が、配線の引き回しや画像読み取り系への影響、さらには外観上の都合などから装置底部に取り付けられ、その基板上方がシャーシ，フレーム等に覆われているため、装置外部からＬＥＤの発光状態を確認することができなかった。したがって、装置に何らかのトラブルが発生したときには、ＬＥＤの発光状態を確認するために、例えば制御基板を外部に引き出すか、制御基板にジャンパー線を半田付けして外部の検査機器と電気的に接続するなどの面倒な作業を必要としていた。そのため、トラブルの解消はもとより、定期的な保守，点検等にも多くの時間を要していた。
【０００５】
この対策としては、制御基板を覆うフレーム等に原稿台（プラテンガラス）を通して見えるように穴部を設け、この穴部を通してＬＥＤの発光状態を装置外部から確認できるようにすることも考えられる。しかしながら、この対策を採用した場合は、原稿の画像を光学系で読み取る際、穴部を通過したＬＥＤの光が光学系に影響を与えるとともに、ＬＥＤからの光が使用者（顧客）の目に触れてクレームが発生する虞れがあった。
【０００６】
【課題を解決するための手段】
本発明による画像読取装置では、原稿台に載置される原稿の画像を読み取る画像読取装置において、自装置の状態に応じて発光する発光手段と、この発光手段から発光される光を画像読み取り領域の外側で通過させる穴部を有する第１のフレームと、この第１のフレームの穴部を通過した光を装置外部に通過させる通光部を有する第２のフレームと、この第２のフレームの通光部を塞ぐことにより、第１のフレームの穴部を通過した光を遮光する取り外し可能な遮光部材とを備えた構成を採用している。
【０００７】
上記構成からなる画像読取装置においては、自装置が或る状態になって発光手段が発光すると、そこから発光された光が第１のフレームの穴部を通過する。このとき、第１のフレームの穴部が画像読み取り領域の外側で発光手段からの光を通過させることにより、画像読み取り系（光学系）への影響が回避される。また、第１のフレームの穴部を通過した発光手段の光は、第２のフレームの通光部を塞ぐ遮光部材で遮光されるため、通常の使用中に発光手段が発光していても、その光が使用者の目に触れることがない。一方、装置の保守，点検等に際しては、遮光部材を取り外すだけで、第１のフレームの穴部を通過した光が、第２のフレームの通光部も通過するようになるため、発光手段の発光状態を装置外部から容易に確認（目視）することが可能となる。
【０００８】
【発明の実施の形態】
以下、本発明の実施の形態について図面を参照しつつ詳細に説明する。
図１は本発明に係る画像読取装置の第１実施形態を示す斜視図である。
図においては、画像読取装置の底部にボトムフレーム１が取り付けられ、その下にガイドレール等を用いて引き出しプレート２が取り付けられている。ボトムフレーム１は略長方形に成形されており、その両サイドからそれぞれサイドフレーム３ａ，３ｂが直角（垂直）に起立し、またそのフロント側とリア側からそれぞれフロントフレーム４ａとリアフレーム４ｂが直角に起立している。また、リアフレーム４ｂの上辺部からは、フロントフレーム４ａ側に延出する状態で支持フレーム５が設けられている。この支持フレーム５は、プラテンガラス等からなる原稿台を支持するものである。
【０００９】
また、リアフレーム４ｂの外側（図の奥側）には、原稿押え部材となるプラテンカバーの開閉支点部（ヒンジ機構等）を支持する左右一対の支持部６ａ，６ｂが設けられ、さらに支持部６ａ，６ｂの間には、冷却用のファン７とともに図示せぬキャリッジを駆動するための駆動系（モータ等）が組み込まれるようになっている。これに対してボトムフレーム１上には、上記駆動系からの駆動力をキャリッジに伝達する動力伝達系８が組み込まれている。この動力伝達系８は、例えばドライブシャフト，プーリー，ワイヤ，ガイドシャフト等から構成される。
【００１０】
一方、引き出しプレート２上には、画像読取装置の動作を制御する制御基板９が取り付けられている。この制御基板９は、少なくともその一部が支持フレーム５の真下に位置するようにリアフレーム４ｂ側に寄せて配置されている。また、制御基板９の上方はボトムフレーム１に覆われて外部から見えないようになっている。ちなみに、支持フレーム５に支持される原稿台（プラテンガラス）に対しては支持フレーム５よりも内側（フロント側）に位置して原稿が載置されることから、支持フレーム５の真下は画像読み取り領域よりも外側の位置となる（図２（ａ）参照）。
【００１１】
制御基板９には、各種の電子部品や機能部品（ＩＣ，抵抗，コンデンサ，トランジスタ等）と共に、自装置の状態、例えば動作状態や通信状態、さらには異常発生の有無に応じて発光するＬＥＤ（発光手段）１０が実装されている。このＬＥＤ１０は、図示のように制御基板１０を組み入れた状態（引き出しプレート２を収納した状態）で、支持フレーム５の真下（画像読み取り領域の外側）に位置するように実装されている。
【００１２】
これに対してボトムフレーム１には、ＬＥＤ１０の真上、すなわち画像読み取り領域の外側に位置して穴部１ａが設けられており、さらに支持フレーム５にもＬＥＤ１０の真上に位置して穴部（通光部）５ａが設けられている。つまり、実装基板９のＬＥＤ１０、ボトムフレーム１の穴部１ａおよび支持フレーム５の穴部５ａは、いずれも画像読み取り領域の外側で互いに同じ直線軸（図例では垂直軸）上に配置されている。
【００１３】
このうち、ボトムフレーム１の穴部１ａは、そこを通過したＬＥＤ１０からの光が画像読み取り領域に入射しないよう、その穴径がφ３ｍｍ以下に設定されている。一方、支持フレーム５の穴部５ａは、これを通してＬＥＤ１０の発光状態を装置外部から容易に確認（目視）できるよう、その穴径がボトムフレーム１の穴径と同じか、それよりも大きく設定されている。
【００１４】
また、支持フレーム５上には、図２（ａ）に示すように、プラテンガラス（原稿台）１１が載せられる。このプラテンガラス１１は、図示せぬプラテン押えプレートによって支持フレーム５上に固定される。プラテンガラス１１のリア側エッジ近傍には、プラスチック製のガイドプレート１２が接着剤等により貼り付けられている。このガイドプレート１２は、プラテンガラス１１に載置される原稿を位置決めするためのもので、そのプレートエッジ部分には各種の原稿サイズ（Ｂ５，Ａ４，Ａ３など）や原稿の向きに対応した目盛りが付されている。
【００１５】
また、支持フレーム５にプラテンガラス１１を取り付けた状態ではそのガラス面に貼り付いたガイドプレート１２で支持フレーム５が覆われ、これにより支持フレーム５の穴部５ａがガイドプレート１２で塞がれるようになっている。すなわち、ガイドプレート１２は原稿の位置決め用としてだけでなく、本発明に係る遮光部材としての役目も担っている。
【００１６】
上記構成からなる画像読取装置においては、通常の使用中に例えば装置の通信機能に異常を来たし、これに対応してＬＥＤ１０が発光すると、そこから発光された光がボトムフレーム１の穴部１ａを通過する。このとき、ボトムフレーム１の穴部１ａは画像読み取り領域の外側でＬＥＤ１０の光を通過させるため、画像読み取り系への影響（フレア等）を回避することができる。また、支持フレーム５にプラテンガラス１１を介してガイドプレート１２を取り付けた状態では、ボトムフレーム１の穴部１ａがガイドプレート１２で塞がれ、そこを通過する光がガイドプレート１２で遮光される。したがって、通常の使用中にＬＥＤ１０が発光して、その光が使用者の目に触れることがないため、クレームの発生を回避することができる。
【００１７】
一方、装置のトラブルフォローや保守，点検等に際しては、支持フレーム５からプラテンガラス１１と一緒にガイドプレート１２を取り外すことで、支持フレーム５の穴部５ａが外部に露出した状態となる。この状態では、図２（ｂ）に示すように、ボトムフレーム１の穴部１ａを通過したＬＥＤ１０の光が、支持フレーム５の穴部５ａも通過するようになるため、作業者（トラブルフォローや保守，点検等を行う者）は支持フレーム５の穴部５ａを真上から覗き込むことにより、ＬＥＤ１０の発光状態を確認（目視）することができる。これにより、いちいち制御基板９を引き出したり、ジャンパー線を半田付けするなどの面倒な作業が不要となるため、トラブルフォローや保守，点検等の作業時間を大幅に短縮することが可能となる。
【００１８】
さらに、ボトムフレーム１の穴部１ａや支持フレーム５の穴部５ａについては、いずれもフレーム自体の外形加工や穴開け加工と同時にプレス金型等を用いて簡単に設けることができ、また遮光部材としてのガイドプレート１２についても既存の部品を利用しているため、上記構成を実現するにあたってコストアップを招くこともない。
【００１９】
なお、上記第１実施形態においては、支持フレーム５の穴部５ａをガイドプレート１２で塞ぐようにしたが、これ以外にも、例えば支持フレーム５の穴部５ａにネジを切ってネジ穴とし、このネジ穴を利用して図３（ａ）に示すようにプラテンガラス１１とガイドプレート１２をネジ１３で支持フレーム５に固定する構成を採用してもよい。
【００２０】
この構成では、支持フレーム５のネジ穴がこれに螺合するネジ１３で塞がれた状態となり、ＬＥＤ１０の光がボトムフレーム１の穴部１ａを通過したときにはネジ１３で光が遮光されるため、ＬＥＤ１０の光が使用者の目に触れることを回避することができる。
また、装置の保守，点検等に際しては、プラテンガラス１１を固定しているネジ１３を取り外すことにより、図３（ｂ）に示すように、ガイドプレート１２の穴１２ａを通して支持フレーム５のネジ穴５ａが露出し、このネジ穴５ａを光が通過するようになるため、ＬＥＤ１０の発光状態を装置外部から確認することができる。
さらに、支持フレーム５からプラテンガラス１１とガイドプレート１２を取り外さなくても、それらを固定しているネジ１３を取り外すだけでＬＥＤ１０の発光状態を確認できるため、作業性が良好なものとなる。
【００２１】
なお、ここでは支持フレーム５に設けたネジ穴５ａを利用してプラテンガラス１１とガイドプレート１２をネジ止めするようにしたが、これ以外にも、上記図２（ａ）における支持フレーム５の穴部５ａと同軸状態でプラテンガラス１１とガイドプレート１２に穴を開けるとともに、プラテンガラス１１側の穴をネジ穴とし、そのネジ穴にネジを螺合してガイドプレート１２を固定するようにしても同様の効果が得られる。
【００２２】
また、支持フレーム５の構造としては、図４に示すように、ボトムフレーム１の穴部１ａの真上に通光部としての切欠部５ｂを設け、この切欠部５ｂをガイドプレート１２で塞いで遮光することにより、ＬＥＤ１０の光が使用者の目に触れないようにしたり、プラテンガラス１１と一緒にガイドプレート１２を取り外したときに、ボトムフレーム１の穴部１ａを通過したＬＥＤ１０の光を切欠部５ｂで通過させることにより、ＬＥＤ１０の発光状態を外部から確認できるようにしてもよい。
【００２３】
さらに、図５に示すように、支持フレーム５の穴部５ａに対応してプラテンカバー（原稿押え部材）１４の裏面（原稿を押える側の面）にミラー等の反射体１５を接着剤，ネジ等により取り付けた構成を採用すると、より好適なものとなる。
すなわち、この構成によれば、支持フレーム５からプラテンガラス１１とガイドプレート１２を取り外した後、プラテンカバー１４の開閉角度を適宜調節することにより、支持フレーム５の穴部５ａを通過したＬＥＤ１０の光を反射体１５で装置のフロント側（図の矢印方向）に反射させることができる。これにより、支持フレーム５の穴部５ａを真上から覗かなくても、装置のフロント側からＬＥＤ１０の発光状態を確認できるため、視認性が向上する。
【００２４】
さらに好適な例として、図６に示すように、支持フレーム５に支持されるプラテンガラス１１の下面に、支持フレーム５の穴部５ａに対応して上記同様にミラー等の反射体１５を取り付けた構成を採用することもできる。この構成を採用すれば、支持フレーム５にプラテンガラス１１を固定しているネジを外してプラテンガラス１１のフロント側を持ち上げ、その状態でプラテンガラス１１の傾斜角度を適宜調節することにより、支持フレーム５の穴部５ａを通過したＬＥＤ１０の光を反射体１５で装置のフロント側（図の矢印方向）に反射させることができる。その結果、支持フレーム５上からプラテンガラス１１とガイドプレート１２を完全に取り去らなくても、装置のフロント側からＬＥＤ１０の発光状態を確認できるため、視認性と作業性が共に向上する。
【００２５】
また、視認性の向上を図るうえでは図７に示す構成を採用することも有効な手段となる。図７においては、支持フレーム５の穴部５ａに乱反射体１６が取り付けられている。この乱反射体１６は、ボトムフレーム１の穴部１ａを通過したＬＥＤ１０の光を乱反射させるもので、例えばガラスやファイバー系の透光性材料から構成される。また乱反射体１６は、全体としてロケット型に成形されており、その胴部は支持フレーム５の穴部５ａに嵌め込まれ、その頭部は支持フレーム５よりも上方に突出する状態で配置されている。
【００２６】
この乱反射体１６を備えたものでは、ＬＥＤ１０からの光がボトムフレーム１の穴部１ａを通して乱反射体１６に入射する。そうすると、乱反射体１６での光の乱反射により、ＬＥＤ１０からの光が支持フレーム５上で多方向に散乱する。これにより、装置のフロント側を含めた全方向からＬＥＤ１０の発光状態を確認することが可能となる。このことから、装置の保守，点検等に従事する作業者側では、いちいち光軸に視線を合わせなくても、ＬＥＤ１０の発光状態を容易に確認できるため、さらなる視認性の向上が図られる。また、作業姿勢の自由度も高まるため、作業性の向上も図られる。
【００２７】
図８は本発明に係る画像読取装置の第２実施形態を示す側面概略図である。
図においては、ボトムフレーム１とプラテンガラス１１で挟まれた空間に、原稿の画像を読み取り走査する移動走査体１７が設けられている。この移動走査体１７は、それぞれ図の左右方向に移動可能な第１のキャリッジ１８ａと第２のキャリッジ１８ｂを有している。第１のキャリッジ１８ａにはランプ１９と第１ミラー２０が搭載されており、第２のキャリッジ１８ｂには第２ミラー２１と第３ミラー２２が搭載されている。
【００２８】
このうち、ランプ１９は、プラテンガラス１１に載置された原稿に光を照射するためのもので、第１〜第３ミラー２０，２１，２２は、原稿からの反射光（光学像）を図示せぬレンズを介してＣＣＤ(Charge Coupled Device) センサ等の画像読み取りセンサに導くためのものである。
ちなみに、実際の画像読み取りに際しては、第１のキャリッジ１８ａと第２のキャリッジ１８ｂが共に図の右方向（スキャン方向）に移動する。また、そのときの移動速度（移動距離）は、原稿面から画像読み取りセンサに至る光路長を一定に維持するために第１のキャリッジ１８ａを「１」として第２のキャリッジ１８ｂが「１／２」に設定されている。
【００２９】
また、ボトムフレーム１の下方には制御基板９が取り付けられ、その制御基板９上に発光手段としてのＬＥＤ１０が実装されている。これに対して、ボトムフレーム１には、上記移動走査体１７のホームポジションの真下（図例では第２のキャリッジ１８ｂの真下）に位置して穴部１ｂが設けられている。
【００３０】
ここで、移動走査体１７のホームポジションとは、画像読取装置の待機時に移動走査体１７を画像読み取り領域から退避させ且つ画像読み取り領域での移動走査体１７の移動速度を安定させるための加速用距離を確保すべく移動走査体１７を停止させておくポジションで、原稿の画像を読み取り走査する際には、このホームポジションから移動走査体１７の移動が開始されるようになっている。
【００３１】
これに対して、制御基板９のＬＥＤ１０は、ボトムフレーム１の穴部１ｂの真下に配置されている。ボトムフレーム１の穴部１ｂは、ＬＥＤ１０から発光される光を移動走査体１７（第２のキャリッジ１８ｂ）のホームポジションの真下で通過させるものである。ちなみに、移動走査体１７のホームポジションと、実際に原稿画像の読み取り走査が開始される読み取り開始位置（レジ位置）Ｓとの間には、移動走査体１７を加速するための水平距離が確保されることから、ボトムフレーム１の穴部１ｂの径については上記第１実施形態の場合（φ３ｍｍ以下）より大きく設定しても、そこを通過した光が画像読み取り領域に入射する虞れはないと考えられる。
【００３２】
一方、プラテンガラス１１のサイドエッジ部分にはプラスチック製のガイドプレート２３が接着剤等により貼り付けられ、このガイドプレート２３により移動走査体１７のホームポジションの上方が覆われるようになっている。このガイドプレート２３は、プラテンガラス１１に載置される原稿を、先述のガイドプレート１２と共に位置決めするためのもので、プラテンガラス１１上では２つのガイドプレート１２，２３が略Ｌ字形に配置される。
【００３３】
上記構成からなる画像読取装置においては、通常の使用中にＬＥＤ１０が発光すると、そこから発光された光がボトムフレーム１の穴部１ｂを通過する。このとき、ボトムフレーム１の穴部１ａが画像読み取り領域から外れた移動走査体１７の退避位置（本例ではホームポジション）で光を通過させるため、画像読み取り系への影響を回避することができる。また、移動走査体１７がホームポジションに停止している場合は、ＬＥＤ１０からの光が移動走査体１７（第２のキャリッジ１８ｂ）で遮光され、移動走査体１７がホームポジションに停止していない場合は、その上方を覆うガイドプレート２３でＬＥＤ１０からの光が遮光される。したがって、通常の使用中にＬＥＤ１０が発光しても、その光が使用者の目に触れることがないため、クレームの発生を回避することができる。
【００３４】
一方、装置の保守，点検等に際しては、プラテンガラス１１と一緒にガイドプレート２３を取り外し、且つ移動走査体１７をホームポジションから移動させることでボトムフレーム１の穴部１ｂが露出した状態となる。そのため、作業者はボトムフレーム１の穴部１ｂを真上から覗き込むことにより、ＬＥＤ１０の発光状態を装置外部から確認（目視）することができる。
【００３５】
図９は本発明に係る画像読取装置の第３実施形態を示す側面概略図である。
図においては、上記第２実施形態と同様に、ボトムフレーム１の下方に制御基板９が取り付けられ、その制御基板９上に発光手段としてのＬＥＤ１０が実装されている。またボトムフレーム１には、ＬＥＤ１０から発光される光を通過させる穴部１ｂが設けられている。ただし、ボトムフレーム１の穴部１ｂと制御基板９のＬＥＤ１０は、いずれも、移動走査体１７の移動可能範囲内において、移動走査体１７のベース部品となる第２のキャリッジ１８ｂが画像読み取り領域から最も退避する退避終端位置（サイドフレーム３ａの近傍位置）の真下に配置されている。また、サイドフレーム３ａの上端部からはこれと一体（又は別体）で遮光フレーム２４が水平に延出し、この遮光フレーム２４で第２のキャリッジ１８ｂの退避終端位置の上方が覆われている。
【００３６】
これに対して、第２のキャリッジ１８ｂには、ボトムフレーム１と対向する部分に穴部１８ｂが設けられ、さらにサイドフレーム３ａと対向する部分にも穴部１８ｄが設けられている。また、第２のキャリッジ１８ｂに搭載された第３ミラー２２には、そのベース基板（ガラス基板）の表裏面にミラーコーティングを施して反射面（鏡面）を形成してなる、いわゆる両面ミラーが採用されている。さらにサイドフレーム３ａには、第２のキャリッジ１８ｂの穴部１８ｄと対向する位置に穴部（通光部）３ｃが設けられている。
【００３７】
上記構成からなる画像読取装置においては、通常の使用中にＬＥＤ１０が発光すると、そこから発光された光がボトムフレーム１の穴部１ｂを通過する。このとき、ボトムフレーム１の穴部１ｂは画像読み取り領域から外れた第２のキャリッジ１８ｂの退避終端位置の真下でＬＥＤ１０からの光を通過させるため、画像読み取り系への影響を回避することができる。
また、第２のキャリッジ１８ｂの退避終端位置の上方が遮光フレーム２４で覆われているため、その退避終端位置に第２のキャリッジ１８ｂが存在しなくても、ＬＥＤ１０からの光が遮光フレーム２４で遮光される。したがって、通常の使用中にＬＥＤ１０が発光しても、その光が使用者の目に触れることがないため、クレームの発生を回避することができる。
【００３８】
一方、装置の保守，点検等に際しては、第２のキャリッジ１８ｂをサイドフレーム３ａ側に寄せて退避終端位置に移動させ、これによって図示のように第２のキャリッジ１８ｂをボトムフレーム１の穴部１ｂの真上に配置する。これにより、ボトムフレーム１の穴部１ｂを通過した光は第２のキャリッジ１８ｂに取り込まれ、そこに設けられた第３ミラー２２の裏面で反射されてサイドフレーム３ａの穴部３ｃを通過するようになる。したがって、作業者はサイドフレーム３ａの穴部３ｃを横から覗き込むことにより、ＬＥＤ１０の発光状態を装置外部から確認することが可能となる。
【００３９】
【発明の効果】
以上説明したように本発明に係る画像読取装置によれば、通常の使用中に発光手段が発光しても、その光が画像読み取り系に影響を与えたり使用者の目に触れることを確実に防止することができる。また、装置の保守，点検等に際しては、制御基板を引き出すなどの面倒な作業無しに、発光手段の発光状態を装置外部から容易に確認することが可能となる。これにより、読み取り画像の劣化や一般顧客からのクレームの発生を防止したうえで、装置のトラブルフォローや保守，点検等の作業時間を大幅に短縮することが可能となる。
【図面の簡単な説明】
【図１】  本発明に係る画像読取装置の第１実施形態を示す斜視図である。
【図２】  第１実施形態の要部を示す図である。
【図３】  第１実施形態の第１変形例を示す図である。
【図４】  第１実施形態の第２変形例を示す図である。
【図５】  第１実施形態の第１応用例を示す図である。
【図６】  第１実施形態の第２応用例を示す図である。
【図７】  第１実施形態の第３応用例を示す図である。
【図８】  本発明に係る画像読取装置の第２実施形態を示す側面概略図である。
【図９】  本発明に係る画像読取装置の第３実施形態を示す側面概略図である。
【符号の説明】
１…ボトムフレーム、１ａ…穴部、３ａ，３ｂ…サイドフレーム、３ｃ…穴部、５…支持フレーム、５ａ…穴部、９…制御基板、１０…ＬＥＤ、１１…プラテンガラス、１２，２３…ガイドプレート、１３…ネジ、１４…プラテンカバー、１５…反射体、１６…乱反射体、１７…移動走査体、１８ｂ…第２のキャリッジ、１８ｃ，１８ｂ…穴部、２２…第３ミラー、２４…遮光フレーム
【図１】
0003635964.tif 000002
【図２】
0003635964.tif 000003
【図３】
0003635964.tif 000004
【図４】
0003635964.tif 000005
【図５】
0003635964.tif 000006
【図６】
0003635964.tif 000007
【図７】
0003635964.tif 000008
【図８】
0003635964.tif 000009
【図９】
0003635964.tif 000010